(57)【要約】      （修正有）【課題】建築物の屋根構造や壁構造において使用される波板を、垂木や、柱等の被固定部に熟練を要することなく作業性よく固定することのできる固定用部材を提供する。【解決手段】波板２０を被固定部に固定するために用いる固定用部材１０であって、前記波板２０の連続する複数の波２０ａ，２０ａ，２０ａを覆う横幅と高さを有し下面が開放した矩形断面を備えた長手部材からなることを特徴とする。【選択図】図２
0003177930.tif 000002
【実用新案登録請求の範囲】
【請求項１】
波板を被固定部に固定するために用いる固定用部材であって、前記波板の連続する複数の波を覆う横幅と高さを有し下面が開放した矩形断面を備えた長手部材からなることを特徴とする固定用部材。
【請求項２】
前記矩形断面が２〜３個の波を覆う横幅を有することを特徴とする請求項１記載の固定用部材。
【請求項３】
前記矩形断面が波板側に開拡する台形形状であることを特徴とする請求項１または２記載の固定用部材。
【請求項４】
前記矩形断面の高さは前記固定用部材の上面側が前記波板の頂部に接する高さであることを特徴とする請求項１乃至３の何れかに記載の固定用部材。
【請求項５】
前記固定用部材の上面に沿って防水材を貼着したことを特徴とする請求項１乃至４の何れかに記載の固定用部材。
【請求項６】
前記防水材はブチルテープであることを特徴とする請求項５記載の固定用部材。
【請求項７】
前記固定用部材は、メッキ鋼板からなることを特徴とする請求項１乃至６の何れかに記載の固定用部材。
【請求項８】
前記固定用部材は、前記波板と一体に形成されたことを特徴とする請求項１乃至７の何れかに記載の固定用部材。
【考案の詳細な説明】
【技術分野】
【０００１】
本考案は、建築物の屋根構造や壁構造において使用される波板の固定に用いる固定用部材に関するものであり、更に詳しくは、トタン等の金属製波板や、ポリカーボネート樹脂等の樹脂製波板等、各種建築用波板を垂木や、柱等の被固定部に作業性よく固定することのできる固定用部材に関する。
【背景技術】
【０００２】
従来、例えば、特許文献１に示されるような屋根構造においては、屋根に通気性を持たせるため、図７に示すように垂木ａ上に固定配置された野地板ｂ上に波板ｃを配置して、固定釘ｄを前記波板ｃ、野地板ｂを貫通させて垂木ａに向かって打ち込むことにより、波板ｃを垂木ａに固定するようにしている。また、この場合、図８に示すように、波板ｃの谷部ｃ１に固定釘ｄを打ち込むと、そこに雨水などが溜まるような場合には固定釘ｄが腐食したりするので、固定釘ｄは波板ｃの頂部ｃ２に打ち込む必要があった。
【先行技術文献】
【特許文献】
【０００３】
【特許文献１】特開２０１０−２４２３５３号公報
【考案の概要】
【考案が解決しようとする課題】
【０００４】
しかしながら、従来のように固定釘ｄを波板ｃに直接打ち込む場合、垂木ａ上の波板ｃの所定箇所、特に、波板ｃの頂部ｃ２に固定釘ｄを正確に打ち込むには熟練を要するものであった。また、野地板ｂの下に隠れている垂木ａに固定釘ｄを間違いなく打ち込むためには、波板ｃの固定釘ｄを打ち込む箇所も限られるため、その作業にはかなりの熟練を要するものであった。また、固定釘ｄの打ち込み作業も波板ｃの上で行う必要があり、足場の悪い状況での作業となっていた。
そこで、本考案は建築物の屋根構造や壁構造において使用される波板を、垂木や、柱等の被固定部に熟練を要することなく作業性よく固定することのできる固定用部材を提供することを目的とする。
【課題を解決するための手段】
【０００５】
本考案者が鋭意検討を重ねた結果、波板の連続する複数の波を覆う横幅と高さを有し下面が開放する矩形断面を備えた長手部材からなる固定用部材を用い、これを波板の上に配置した状態で該固定用部材上から固定釘等を打ち込むことで、種々の作業現場で熟練を要することなく、波板を垂木等の被固定部に固定できることを知見した。
【０００６】
本考案の固定部材は、かかる知見に基づきなされたもので、請求項１に記載の通り、波板を被固定部に固定するために用いる固定用部材であって、前記波板の連続する複数の波を覆う横幅と高さを有し下面が開放した矩形断面を備えた長手部材からなることを特徴とする。
また、請求項２記載の固定用部材は、請求項１記載の固定用部材であって、前記矩形断面が２〜３個の波を覆う横幅を有することを特徴とする。
また、請求項３に記載の固定用部材は、請求項１または２記載の固定用部材であって、前記矩形断面が波板側に開拡する台形形状であることを特徴とする。
また、請求項４記載の固定用部材は、請求項１乃至３の何れかに記載の固定用部材であって、前記矩形断面の高さは前記固定用部材の上面側が前記波板の頂部に接する高さであることを特徴とする。
また、請求項５記載の固定用部材は、請求項１乃至４の何れかに記載の固定用部材であって、前記固定用部材の上面に沿って防水材を貼着したことを特徴とする。
また、請求項６記載の固定用部材は、請求項５記載の固定用部材において、前記防水材はブチルテープであることを特徴とする。
また、請求項７記載の固定用部材は、請求項１乃至６の何れかに記載の固定用部材において、前記固定用部材は、メッキ鋼板からなることを特徴とする。  また、請求項８の固定用部材は、請求項１乃至７の何れかに記載の固定用部材であって、前記波板と一体に形成されたことを特徴とする。
【考案の効果】
【０００７】
本考案の固定用部材は、波板の連続する複数の波を覆う横幅と高さを有し下面が開放した矩形断面を備えた長手部材からなるため、固定用部材の上面全体が釘やビス等の固定手段を打ち込む面として利用でき、固定部材の下に存在する垂木等の被固定部材に合わせて打ち込める範囲が広くなり、固定手段の打ち込み作業がしやすい。また、固定用部材に固定手段が打ち込まれた後は、この固定手段が下面の波板に打ち込まれる際のガイド部材としても機能して固定手段の打ち込みが正確且つ容易となる。
また、前記矩形断面を２〜３個の波を覆う横幅にすれば固定用部材の強度が高く、固定用部材の上面を足場として利用して固定手段の打ち込み作業を行える。
前記矩形断面を波板側に開拡する台形形状にすれば、波板の複数の波の輪郭に沿って密着した状態で覆うことができる。
また、前記矩形断面の高さを前記固定用部材の上面側が前記波板の頂部に接する高さにすれば、波板の強度と相まって、固定用部材の強度をより高めることができる。
また、前記固定用部材の上面に沿ってブチルテープ等の防水材を貼着すれば固定用部材の下側への漏水を防止することができる。
また、前記固定用部材をガルバニウム鋼板等のメッキ鋼板で構成すれば、加工性、耐熱性、不燃性、防錆性、強度、特にビス等の固定手段の打ち込み時における耐座屈性に優れたものに構成できる。
また、前記固定用部材を前記波板と一体に形成すれば、波板と固定用部材との２点の部材が１点の部材になり、部材点数を減らすことができる。また、部材点数の低減に伴い、固定用部材を野地板等に設置する際の作業を容易にすることができる。すなわち、波板の固定と同時に、固定用部材を設置することができる。
【図面の簡単な説明】
【０００８】
【図１】本考案固定用部材の一実施例の斜視図
【図２】上記一実施例の波板への被覆状態を示す斜視図
【図３】本考案固定部材の他実施例の斜視図
【図４】上記他実施例の波板への被覆状態を示す斜視図
【図５】前記一実施例の固定用部材の使用状体の一例を示す説明断面図
【図６】同要部拡大断面図
【図７】従来の屋根構造における波板の固定状態を示す説明断面図
【図８】同要部拡大断面図
【図９】（Ａ）は波板が曲線状である場合の一体型波板を示す斜視図、（Ｂ）は波板がＶ字状である場合の一体型波板を示す斜視図
【図１０】隣接する一体型波板が重なり合って配置された際の斜視図
【考案を実施するための形態】
【０００９】
本考案の固定用部材は、波板を被固定部に固定するために用いる固定用部材であって、前記波板の連続する複数の波を覆う横幅と高さを有し下面が開放する矩形断面を備えた長手部材からなるものである。
本考案の固定用部材の対象となる波板としては、トタン、ガルバニウム鋼板等のメッキ鋼板や、ステンレス鋼板、アルミ板等の金属製波板や、塩ビ樹脂、アクリル樹脂、ポリカーボネート樹脂、シリコン樹脂等の樹脂製波板や、ＦＲＰ波板、ＧＲＰ波板等、各種波板があげられる。
特に、波板に強度をもたせる場合には、トタン等の金属製波板が好ましい。尚、波板の各波の断面は曲線状のものでもＶ字状のものでも構わない。
【００１０】
本考案の固定用部材を用いて、波板を固定する被固定部材としては、例えば、屋根構造を例とすれば、垂木や、野地板等があげられ、壁構造を例とすれば、柱、構造ベニア等があげられるが、波板を固定できるものであれば特に限定されるものではない。
【００１１】
前記固定用部材の矩形断面の横幅は特に限定されるものではないが、強度や、重量などの観点からは、波板の２〜３個の波を覆う横幅を有するようにすることが好ましい。
【００１２】
また、前記固定用部材の下面が開放する矩形断面は、波板の複数の波を覆える形状であれば特に限定されるものではないが、波体への密着性の観点からは波板側に開拡する台形形状であることが好ましい。すなわち、「矩形」には、台形形状のものも含む。なお、固定用部材の断面形状は、直線からなる矩形に限らず曲線を含むものであってもよい。
【００１３】
また、前記矩形断面の高さは、波板の波を覆える高さであれば特に限定されるものではないが、強度の観点からは前記固定用部材の上面側が前記波板の頂部に接する高さであることが好ましい。
【００１４】
また、前記固定用部材の上面に沿って、ブチルテープ等の防水材を貼着することが好ましい。
【００１５】
また、前記固定用部材の材質は、波板を固定するだけの強度があれば特に限定されるものではないが、ガルバニウム鋼板等のメッキ鋼板で構成すれば、加工性、耐熱性、不燃性、防錆性、強度、特にビス等の固定手段の打ち込み時における耐座屈性に優れたものに構成できる。
【００１６】
また、前記固定用部材は、前記波板と一体に形成することができる。前記固定用部材を前記波板と一体に形成すれば、波板と固定用部材との２点の部材が１点の部材になり、部材点数を減らすことができる。また、部材点数の低減に伴い、固定用部材を野地板等に設置する際の作業を容易にすることができる。すなわち、波板の固定と同時に、固定用部材を設置することができる。
【実施例】
【００１７】
以下、図面に従って、本考案の具体的な実施例につき説明する。
図１は、本考案の固定用部材１０の一実施例の斜視図を示すもので、３２ｍｍ単位で曲線状に波付けされたトタンからなる波板２０の連続する３つの波２０ａ，２０ａ，２０ａを覆う横幅ｗと高さｈを有する下面が開放した矩形断面を備えた長手部材として構成されている。
本実施例のものでは、上面１１が７０ｍｍで、各側面１２，１２が８ｍｍで、前記上面１１に対する前記側面１２，１２の折り曲げ角度が１３０°に加工されている。
尚、固定用部材１０の上面１１には防水用に厚み０．５ｍｍのブチルテープからなる防水材１３が貼着されている。
図２は前記固定用部材１０の波板２０に対する被覆状態を示すもので、前記固定用部材１０が波板２０の３つの波２０ａ，２０ａ，２０ａを覆う様子を示すものである。
【００１８】
また、図３は、本考案の固定用部材１０の他実施例の斜視図を示すもので、１２ｍｍ単位でＶ字状に波付けされたトタンからなる波板２０の連続する３つの波２０ａ，２０ａ，２０ａを覆う横幅ｗと高さｈを有する下面が開放した矩形断面を備えた長手部材として構成されている。
本実施例のものでは、上面１１が３０ｍｍで、各側面１２，１２が８ｍｍで、前記上面１１に対する前記側面１２，１２の折り曲げ角度が１１０°に加工されている。
尚、固定用部材１０の上面１１には前記実施例と同様に防水用に厚み０．５ｍｍのブチルテープからなる防水材１３が貼着されている。
図４は前記固定用部材１０の波板２０に対する被覆状態を示すもので、前記固定用部材１０が波板２０の３つの波２０ａ，２０ａ，２０ａを覆う様子を示すものである。
【００１９】
図５は、図１及び図２に示す固定用部材１０を用いて波板２０を固定した状態を示す説明断面図であって、垂木３０上に固定配置された野地板３１上に波板２０を配置して、この波板２０の連続する３つの波２０ａ，２０ａ，２０ａを覆うように波板２０上に本考案の固定用部材１０を載置して、その後、固定釘を用いて、この固定釘からなる固定手段３２を、前記固定用部材１０、前記波板２０、野地板３１を貫通させて垂木３０に向かって打ち込むようにしている。
【００２０】
本考案の固定用部材１０を用いて波板２０を固定した場合、図６に示すように固定釘からなる固定手段３２が波板２０の波２０ａの谷部２０ａ１に打ち込まれても、波板２０の谷部２０ａ１は固定用部材１０によって覆われているので固定手段３２が錆びたりしたり、また、そこから漏水を起こすということもない。
また、図示のように固定用部材１０の上面１１に防水用の防水材１３を貼着した場合には、固定手段３２の周囲からの漏水の問題も生じない。固定用部材１０の上面に、防水材１３を貼着する代わりに、または防水材１３とともに、固定手段３２にシール機能を持たせたものを使用してもよい。例えば、固定手段３２において打ち込まれたりねじ込まれたりする部分（固定用部材１０などを貫通する部分）にシール材を取り付けることにより、シール機能を有する固定手段が得られる。
また、このような固定用部材１０が設けられていると、この固定用部材１０の上面１１を足場にして作業ができるので、作業も安全に行える。
【００２１】
前記実施例では、固定用部材を建築物の屋根構造における波板の固定に用いる例を示したが、本考案の固定用部は柱等の被固定部にも適用でき、固定用部材の上面が固定釘などの固定手段の打ち込み面、或いは、その後のガイド部材としても機能して、壁構造においても有用に機能するものである。
【００２２】
なお、実際の施工においては、野地板３１などの上には野地板３１の寸法に応じて用意された複数枚の波板２０が、部分的に重なり合いながら配置される。野地板３１の横方向においても、波板２０は複数個の波２０ａが重なり合うことになる。重なり合った箇所においては、各波板２０を固定するために、釘やビスなどの固定手段により野地板３１などの上に固定されることになる。そこで、他の実施形態として波板２０の横方向端部が固定用部材１０とほぼ同様の形状となるように形成し、波板２０と固定用部材１０とが一体となった一体型波板４０を用いてもよい。
【００２３】
図９（Ａ）は波板４１が曲線状である場合の一体型波板４０を示す斜視図であり、（Ｂ）は波板４１がＶ字状である場合の一体型波板を示す斜視図である。
【００２４】
図１０は、隣接する一体型波板４０が重なり合って配置された際の斜視図である。
【００２５】
一体型波板４０は、波板４１の横方向端部に、固定用部材４２を有する。固定用部材４２は、波板形成時において端部のみを断面矩形上に変形することにより形成される。固定用部材４２は、上述した固定用部材１０とほぼ同様の形状を有する。一体型波板４０は、図１０に示すように、隣接する波板４１の複数個の波４１ａを覆うように、野地板３１などの上に配置される。
【００２６】
一体型波板４０を用いることにより、波板２０と固定用部材１０との２点の部材が１点の部材になり、部材点数を減らすことができる。また、部材点数の低減に伴い、固定用部材１０を野地板３１などに設置する際の作業を容易にすることができる。すなわち、一体型波板４０の固定と同時に、固定用部材４２を設置することができる。さらに、一体型ではない波板２０を用いる場合、波板２０が横方向において重なり合う箇所と、固定用部材１０とが配置される箇所とが重なり合う可能性がある。この場合、波板２０を固定する釘やビスなどの固定手段は、３枚の鋼板を貫通する必要がある。しかし、一体型波板４０を用いる場合、波板４１を固定するためには、波板４１と固定用部材４２との２枚の鋼板を貫通すればよい。これにより、優れた施工性を得ることができる。さらにまた、波板２０と固定用部材１０とを別体として製造する手間を省略することができる。
【００２７】
また、一体型波板４０の横方向の寸法、すなわち固定用部材４２の間隔が、垂木３０の横方向の間隔と一致するように設定することにより、隣接し重なり合う波板４１と固定用部材４２とを固定するために打ち付けられる釘やビスなどの固定手段の被固定部を、垂木３０上とすることができる。一体型波板４０の設置後においては、固定用部材４２を介して打ち付けられる固定手段は、垂木３０上に固定させることもできる。
【００２８】
さらに他の実施形態として、波板２０と野地板３１（屋根）との間における結露を防止するため、結露防止材を配置してもよい。これにより、結露により水滴が発生し、水滴が野地板３１から屋内に浸入することを防止することができる。結露防止材は、例えば発泡材を用いることができる。例えば、結露防止材は、波板２０の長さ方向においては両端部間に亘って配置される。また、例えば、結露防止材は、波板２０の横方向においては、波板２０と波板２０とが重なり合う箇所（すなわち横方向端部）以外の箇所に配置される。波板４１と固定用部材４２とが一体となった一体型波板４０を用いる場合には、波板４１の横方向端部と固定用部材４２以外の箇所に配置される。
【００２９】
結露防止材は、例えば波板２０、４０の波形状などを形成する前の平板の一方の面に貼付けられる。このとき、横方向に相当する端部においては、結露防止材が貼付けられない。結露防止材が貼付けられた平板は、波形状または固定用部材の形状に変形されることにより、結露防止材付きの波板２０、４０が形成される。
【産業上の利用可能性】
【００３０】
本考案の固定用部材は、建築物の屋根構造や壁構造において使用される波板の固定を熟練を要することなく正確且つ簡単に行え、その製造も簡単であり、産業上有用である。
【符号の説明】
【００３１】
１０  固定用部材
１１  上面
１２  側面
１３  防水材
２０  波板
２０ａ  波
２０ａ１  谷部
３０  垂木
３１  野地板
３２  固定手段
４０  一体型波板
【図１】
0003177930.tif 000003
【図２】
0003177930.tif 000004
【図３】
0003177930.tif 000005
【図４】
0003177930.tif 000006
【図５】
0003177930.tif 000007
【図６】
0003177930.tif 000008
【図７】
0003177930.tif 000009
【図８】
0003177930.tif 000010
【図９】
0003177930.tif 000011
【図１０】
0003177930.tif 000012